(57)【要約】【課題】基板ケースを開封した場合にＲＦタグの一部のみの交換ですむパチンコ遊技機を提供する。【解決手段】パチンコ遊技機を制御する主基板１０７と、主基板１０７が収納されるベース体の開口部を開閉するカバー体（１１０ａ）を有する主基板ケース１１０を備えるパチンコ遊技機であって、第１端子を有し、カバー体（１１０ａ）を開放する際に破壊される第１体１３１ａと、第１端子との間で電気的な接続とその接続の解除とが可能な第２端子を有し、第２端子が第１端子と接続された状態でＲＦタグを構成する第２体１４７とを備える。【選択図】図５
2008279183.tif 000002
【特許請求の範囲】
【請求項１】
遊技を制御する基板と、
ベース体と、前記ベース体を開閉するカバー体とを有し、前記ベース体と前記カバー体とで形成される収容空間に前記基板を収容する基板ケースとを備える遊技機であって、
第１端子を有し、前記カバー体を開放する際に破壊される第１体と、
前記第１端子との間で電気的な接続と当該接続の解除とが可能な第２端子を有し、前記第２端子が前記第１端子と電気的に接続された状態でＲＦタグを構成する第２体とを備える
ことを特徴とする遊技機。
【請求項２】
さらに、互いに接続する第１規制手段と第２規制手段とにより構成され、前記第１規制手段と前記第２規制手段とが接続した状態で前記カバー体の開放を規制する規制手段と、
前記第１規制手段は、前記第１体を有し、
前記第２規制手段は、前記第１規制手段と接続した状態で前記第１体と接続する前記第２体を有し、
前記カバー体を開放する際に、前記第１規制手段と前記第２規制手段との接続を解除する時に前記１体が破壊される
ことを特徴とする請求項１に記載の遊技機。
【請求項３】
前記第２規制手段は、さらに、
弾性体と、
前記弾性体の力により前記第１体を破壊するピンと、
前記弾性体が力を蓄えた状態に保つ保持手段とを備え、
前記保持手段は、嵌合する前記第１嵌合部と前記第２嵌合部とを取り外す際に、前記力を蓄えた状態から前記弾性体を開放する
ことを特徴とする請求項２に記載の遊技機。
【発明の詳細な説明】
【技術分野】
【０００１】
本発明は、遊技機に関する。
【背景技術】
【０００２】
従来、パチンコ遊技機が備える回路基板に対する不正行為を防止するために、回路基板が格納される基板ケースに剥がした痕跡が残るシールが貼り付けられている。このようなシールは、例えば、基板ケースを構成するベース体とそのカバー体との境界をまたぐように貼り付けられる。これにより、基板に対して不正行為をするためにカバー体を開放すると、シールが剥がされることになり、その痕跡が残る。しかし、パチンコ遊技機に対して不正行為がなされたか否かを確認するには、これではパチンコ遊技機の基板ケースを１つずつ目視で確認することとなり、時間と手間がかかる。
【０００３】
そこで、不正を容易に発見するためにＩＣチップとアンテナとを備えるＲＦタグの機能を備えたシールの利用が提案されている（例えば、特許文献１参照）。特許文献１に記載のシールは、剥がす力に伴う応力によって一部が破壊される脆性を有するアンテナを備える。従って、不正行為を行うために基板ケースのカバー体を開放しようとすると、基板ケースとカバー体との間にまたがって貼り付けられるアンテナが破壊される。この状態においてパチンコ遊技機の外部からＲＦタグの情報を読み込もうとしても、ＲＦタグとリーダとの通信ができないことから、目視によることなく不正行為が行われたことを検知できる。
【特許文献１】特開２００６−３０５０３７号公報
【発明の開示】
【発明が解決しようとする課題】
【０００４】
しかしながら、前記ＲＦタグは、業者などが基板のメンテナンスなどのために正当に基板ケースを開けてＲＦタグの一部（例えば、アンテナ）を破壊した場合、ＲＦタグの全てを交換する必要がある。そのため、該破壊で破壊されなかったＲＦタグの残りの部分（例えば、ＩＣチップ）が無駄になるという問題がある。
【０００５】
本発明は、上記の問題を解決するためになされたもので、基板ケースを開放した場合にＲＦタグに備わる資産の再利用が容易なパチンコ遊技機の提供を目的とする。
【課題を解決するための手段】
【０００６】
上記目的を達成するために、本発明に係る遊技機は、遊技を制御する基板と、ベース体と、前記ベース体を開閉するカバー体とを有し、前記ベース体と前記カバー体とで形成される収容空間に前記基板を収容する基板ケースとを備える遊技機であって、第１端子を有し、前記カバー体を開放する際に破壊される第１体と、前記第１端子との間で電気的な接続と当該接続の解除とが可能な第２端子を有し、前記第２端子が前記第１端子と電気的に接続された状態でＲＦタグを構成する第２体とを備える。
【０００７】
このように、本発明のパチンコ遊技機は、電気的な接続と当該接続の解除とが可能な第１体と第２体とにより構成されるＲＦタグを備える。そして、基板ケースのカバー体が開く際に、第１体は破壊される。そのため、ＲＦタグとしての機能を損なわせることができる。また、第２体は破壊されない。そのため、第１体のみを取り替えることによって、ＲＦタグの機能を復元させることが可能になるとともに、第２体の再利用が容易になる。
【０００８】
また、さらに、互いに接続する第１規制手段と第２規制手段とにより構成され、前記第１規制手段と前記第２規制手段とが接続した状態で前記カバー体の開放を規制する規制手段と、前記第１規制手段は、前記第１体を有し、前記第２規制手段は、前記第１規制手段と接続した状態で前記第１体と接続する前記第２体を有し、前記カバー体を開放する際に、前記第１規制手段と前記第２規制手段との接続を解除する時に前記１体が破壊されてもよい。
【０００９】
このように、第１規制手段と第２規制手段とは、それぞれが有する第１嵌合部と第２嵌合部とが接続される場合に、カバー体の開放を規制する。これにより、基板ケースのカバー体を開放するには、第１規制手段と第２規制手段とによる規制の解除が必要になる。
【００１０】
また、第１規制手段と第２規制手段とは、嵌合する前記第１嵌合部と前記第２嵌合部との接続を解除する際に、第１体を破壊する。これにより、基板ケースのカバー体を開放するために、開放の規制を解除させる際に、第１体が破壊される。
【００１１】
これらにより、基板ケースのカバー体が開放される際に、確実に、第１体は破壊される。したがって、第１体の破壊によりカバー体が開放された痕跡が残るため、不正にカバー体が開放された場合にはそれを検知することが可能になる。
【００１２】
さらに、前記第２規制手段は、さらに、弾性体と、前記弾性体の力により前記第１体を破壊するピンと、前記弾性体が力を蓄えた状態に保つ保持手段とを備え、前記保持手段は、嵌合する前記第１嵌合部と前記第２嵌合部とを取り外す際に、前記力を蓄えた状態から前記弾性体を開放してもよい。
【００１３】
このように、弾性体の付勢力を利用して、第１体を破壊する。弾性体とは力を蓄えた状態とそれを開放した状態との反復が可能な物体である。そのため、規制手段が取り外され、弾性体に蓄えられた力が開放された後に、再び、保持手段により弾性体に力が蓄えられた状態に戻すことができる。したがって、第２規制手段を再利用することが可能になる。
【発明を実施するための最良の形態】
【００１４】
以下、本発明に係る実施の形態を図面に沿って説明する。
【００１５】
図１は、本実施形態のパチンコ遊技機１００を正面方向から示す斜視図である。
【００１６】
同図に示されるように、パチンコ遊技機１００は、外枠１１と、前枠１２と、ガラス扉１３とを備え、ガラス扉１３の背部には遊技球５が転落する遊技盤１４を備えている。本発明に係る基板ケースは、前枠１２の背部に隠れているため、同図には示されていない。
【００１７】
外枠１１は、パチンコ遊技機１００の各構成要素を保持するための基礎となる枠体であり、矩形状の枠体となっている。また、外枠１１の下部前面を覆うように幕板３１が外枠１１と一体に備えられている。外枠１１は、パチンコホールなど設置されている台島に直接固定される部材であり、台島と外枠１１のみとを固着することによりパチンコ遊技機１００が台島に設置されることとなる。
【００１８】
幕板３１は、遊技球５を貯留する下皿１７の下方に遊技球５を運搬するための箱（いわゆるドル箱）を配置した状態で、前枠１２を開放できるスペースを確保するために設けられる部分であり、当該幕板３１には、スピーカーなど（図示せず）演出用の部材が取り付けられることがある。
【００１９】
前枠１２は、遊技盤１４や、各種制御基盤などが直接的に、また取り付け用部材を介して間接的に取り付けられる部材である。また、前枠１２は、外枠１１の前端面左側とヒンジ１を介して取り付けられており、外枠１１に対して前枠１２が回動可能となされる扉状となっている。すなわち、台島に設置されたパチンコ遊技機１００の前枠１２を扉のように回動すると、パチンコ遊技機１００の背部を露出させるように開放することが可能となっている。
【００２０】
また、前枠１２の前面下部には遊技者が操作できる遊技球５を貯留するための上皿１６や下皿１７が設けられ、下皿１７の右方には、遊技者が回転させることにより遊技球５の射出の可否を選択し、また、遊技球５の射出速度を変更するためのハンドル１８が設けられている。
【００２１】
ガラス扉１３は、前枠１２の前面にヒンジ２を介して装着される部材である。このガラス扉１３は円形孔状の窓部３を有し、当該窓部３を背面から覆うようにガラス板が取り付けられている。
【００２２】
遊技盤１４は、遊技球５が転落する遊技領域を形成するための木製や樹脂製の部材であり、遊技球５を複雑に転落させるための釘や、大当たりを判定するためのトリガーとなる始動口１５や、大当たり遊技中に遊技球５を受け取るために開放される大入賞口１９などの他、装飾図柄が表示される表示装置２１が取り付けられる部材である。また、遊技盤１４の中央部には遊技に関する図柄が表示される表示装置２１が取り付けられている。
【００２３】
図２は、パチンコ遊技機１００を背面方向から示す斜視図である。
【００２４】
同図に示されるように、パチンコ遊技機１００は、装飾ランプや液晶ディスプレイによる表示を制御する表示サブ基板１０５と、各種音声の出力を制御する音声基板１０６と、入賞時における遊技機の動作等を含む遊技機の主要な動作を制御する主基板１０７と、パチンコ球の払い出し動作を制御する払出基板１０８と、各基板等に電源を供給する電源基板１０９とを含む各種基板が、それぞれ透明な基板ケースに収納された状態で取り付けられている。例えば、主基板１０７を収納する基板ケース（以下、「主基板ケース」という。）１１０は、前枠１２に取り付けられる遊技機本体の背面側に取り付けられる。
【００２５】
図３は、主基板ケース１１０の構成と遊技機本体１１５への取り付け態様とを示す図である。
【００２６】
遊技機本体１１５は、遊技盤１４およびそれに取り付けられる物であり、例えば、メインセットや遊技球の流路を形成する球樋などを含む。
【００２７】
主基板ケース１１０は、同図に示すように、カバー体１１０ａとベース体１１０ｂとから構成される。カバー体１１０ａは、その両端をベース体１１０ｂが有する溝１１６に嵌め合わせてスライドさせることにより、ベース体１１０ｂと一体に組み付けられる。一体となったカバー体１１０ａとベース体１１０ｂとは、主基板ケース１１０を構成することとなる。主基板ケース１１０は、ネジ１１３により遊技機本体１１５に取り付けられる。
【００２８】
ハーネス取付口１１７は、ベース体１１０ｂに収納される主基板（図示しない）が有するコネクタ１１８にハーネス１２０を取り付けるための開口である。
【００２９】
図４は、主基板１０７が収納された透明な主基板ケース１１０を示す図である。
【００３０】
主基板１０７は、主基板ケース１１０の内部に形成された収納空間に収納されている。また、主基板ケース１１０のハーネス取付口１１７は、主基板１０７が有するコネクタ１１８と対応する位置にある。主基板１０７のコネクタ１１８には、ハーネス取付口１１７を介して、ハーネス１２０が取り付けられる。
【００３１】
図５は、図４に示すコネクタ１１８のＡＢ断面とハーネス１２０とを示す図である。
【００３２】
ＲＦタグは、第１体１３１ａと第２体１４７とから構成される。
【００３３】
本実施の形態の第１体１３１ａは、アンテナを有するシートである。第１体１３１ａは、規制手段としてのハーネス１２０に接着剤などにより取り付けられる。
【００３４】
本実施の形態の第２体１４７は、ＩＣチップを有するシートである。第２体１４７は、第２規制手段としてのコネクタ１１８に接着剤などにより取り付けられる。
【００３５】
図６は、本実施の形態のＲＦタグの構成を示す図である。
【００３６】
図６（ａ）は、本実施の形態の第１体１３１ａの詳細な構成を示す。
【００３７】
図６（ａ）に示すように第１体１３１ａは、アンテナ１６１と第１端子１６０とを備える。
【００３８】
アンテナ１６１は、シートの内部に保持されており、リーダとの間で情報を送受信する。また、第１端子１６０は、外部に露出した、例えば金属のように電気を導通する部位である。アンテナ１６１と第１端子１６０とは、電気的に接続されている。
【００３９】
図６（ｂ）は、本実施の形態の第２体１４７の詳細な構成を示す。
【００４０】
図６（ｂ）に示すように第２体１４７は、ＩＣチップ１６３と第２端子１６２とを備える。
【００４１】
ＩＣチップ１６３は、シートの内部に保持されている。ＩＣチップ１６３は、固有情報などの情報を保持する記憶媒体とアンテナ１６１による情報の送受信を制御する処理部とを有する。また、第２端子１６２は、第１端子１６０と同様に、外部に露出した、例えば金属のように電気を導通する部位である。ＩＣチップ１６３と第２端子１６２とは、電気的に接続されている。
【００４２】
このような第１体１３１ａのアンテナ１６１と第２体１４７のＩＣチップ１６３とは、第１端子１６０と第２端子１６２とを着脱することにより、電気的な接続と当該接続の解除とを繰り返すことが可能である。第１端子１６０と第２端子１６２とが電気的に接続された場合に、第１体１３１ａと第２体１４７とはＲＦタグを構成する。
【００４３】
なお、第１体と第２体とは、第１端子と第２端子とを介して電気的に接続されることによりＲＦタグとしての機能を発揮すればよい。すなわち、第１体は、ＲＦタグを構成する部位の一部と、第１端子とを備えればよい。また、第２体は、ＲＦタグを構成する部位のうち、第１体が備えない部位と、第２端子とを備えればよい。
【００４４】
ここから、図５に示す本実施の形態の説明に戻る。
【００４５】
第１規制手段としてのハーネス１２０には、第１体１３１ａが取り付けられる。ハーネス１２０は、電極１２１と、電極１２１を介して他の基板と電気信号を授受する導電線１２３と、これらを支持する支持部１１９と、支持部１１９から突出する脚部１２５とを備える。
【００４６】
脚部１２５は、切れ込み部１２７と、凹部１２９と、先端に突出した爪１３３を有する梁部１３２とを備える。第１体１３１ａは、凹部１２９を覆うように貼り付けられている。
【００４７】
また、第２規制手段としてのコネクタ１１８は、第２体が取り付けられる。コネクタ１１８は、主基板１０７に取り付けられており、基板と電気的に接続する電極１４３と、小突起１４５と、スペーサと第２体１４７とが取り付けられる支持台１５７と、バネ１４９ａと、ピン１５１ａと、軸１５５を中心に回転する回転体１５３ａとを備える。ここでスペーサは、第２体１４７の厚みのために、第１体１３１ａが傾斜して取り付けられることを防止する補助具である。
【００４８】
本図に示す回転体１５３ａは、左側が左方向に回動し、右側が右方向に回動することがないように、自身の上端が支持土台１５７に係止されており、自身の下端がピン１５１ａの突き出しを抑えている。
【００４９】
本図に示すバネ１４９ａは、回転体１５３ａによりピン１５１ａを介して押さえ込まれている。これにより、バネ１４９ａは力を蓄えた圧縮状態を維持している。
【００５０】
図７（ａ）は、ハーネス１２０をコネクタ１１８に取り付ける際の状態を示す図である。本図に示すように、回転体１５３ａには、ハーネス１２０の爪１３３の押下により回転させる力が働くが、回転体１５３ａは回転しないように支持土台１５７により係止されている。したがって、ハーネス１２０をコネクタ１１８に取り付ける時に、回転体１５３ａは回転しない。
【００５１】
図７（ｂ）は、図５に示すハーネス１２０がコネクタ１１８に取り付けられた状態を示す図である。本図に示すように、電極１２１と電極１４３とが電気的に接続される。
【００５２】
また、第１体１３１ａと第２体１４７とが接続される。これにより、第１体１３１ａと第２体１４７とは、１つのＲＦタグとなり、外部のリーダと情報を送受信することができる状態になる。
【００５３】
このように、主基板ケース１１０のコネクタ１１８にハーネス１２０が取り付けられた状態では、ハーネス１２０がカバー体１１０ａのハーネス取付口１１７と嵌り合っている。そのため、カバー体１１０ａを開放するために、図４に示す矢印方向にカバー体１１０ａをスライドさせることができなくなる。したがって、主基板ケース１１０のコネクタ１１８にハーネス１２０が取り付けられた状態で、主基板１０７に不正行為を行うことはほぼ不可能になる。
【００５４】
さらに、切れ込み部１２７と小突起１４５とが嵌り合い、爪１３３と回転体１５３ａの外側にある端部とが嵌まり合う。これらの嵌り合いによって、ハーネス１２０がコネクタ１１８から容易に抜けることを防止している。
【００５５】
次に、ハーネス１２０がコネクタ１１８から取り外される際に、第１体１３１ａが破壊される態様を図８（ａ）から図８（ｃ）までを参照して説明する。
【００５６】
図８（ａ）は、ハーネス１２０がコネクタ１１８から取り外される際に、回転体が回転を始めた状態を示す図である。本図の点線は、回転体の図７（ｂ）に示す状態、すなわち初期状態を示す。同図に示すように、爪１３３が回転体１５３ｂを押し上げるため、回転体１５３ｂの左側は右に、回転体１５３ｂの右側は左に、それぞれ回転する。回転体１５３ｂが回転することによって、ピン１５１ｂは回転体１５３ｂの下端により初期状態のピン１５１ａよりも押し込まれる。
【００５７】
図８（ｂ）は、ハーネス１２０がコネクタ１１８から取り外される際に、ピンの保持が解かれた状態を示す図である。図８（ａ）に示す状態からさらにハーネス１２０が持ち上げられることにより、図７（ｂ）に示すようにピンの保持が解かれる。
【００５８】
図８（ｃ）は、ピンの突き出しにより第１体１３１ａが破壊される状態を示す図である。ピンの保持が解かれることにより、ピンはバネ１４９ｃの力によって飛び出し、ハーネスに取り付けられた第１体１３１ａを刺突する。これにより、第１体１３１内部のアンテナ１６１は、第２体１４７と再接続してもＲＦタグとしての機能が復元できない状態に機械的に破壊される。
【００５９】
主基板１０７のメンテナンスなどのために、正規の業者などが主基板ケース１１０を遊技機本体１１５から取り外す場合にも、このようにして第１体１３１ａは破壊される。このような場合、破壊された第１体１３１ａと同様に凹部１２９を覆うように新たな第１体をコネクタ１１８に貼り付ける。そして、新たな第１体を貼り付けたハーネス１２０をコネクタ１１８に取り付けることにより、新たな第１体と第２体１４７とは、それぞれの第１端子と第２端子１６２とを介して電気的に接続し、ＲＦタグとしての機能を発揮する。
【００６０】
このように、正規の者が主基板ケースを開く場合には、ＲＦタグの第１体のみを取り替えることによって、ＲＦタグの機能を復元させることが可能になる。したがって、第２体１４７および第２体１４７のＩＣチップ１６３に保持されている固有情報は再利用可能であり、ＲＦタグに備わる資産の再利用が容易になる。さらに、固有情報を管理する管理システムでの登録の変更などの手間を省くことが可能になり、管理にかかる労力を軽減することが可能になる。
【００６１】
図９は、不正行為を検知するためのリーダ２１０を示す図である。
【００６２】
リーダ２１０は、電波を送受信する読取部２１０ａとＲＦタグ１１２の異常を検知する本体２１０ｂとを備える。本体２１０ｂは、図示しない記憶媒体を有しており、その記憶媒体にあらかじめＲＦタグ１１２に固有の識別情報とパチンコ遊技機１００とを１対１に関連付ける関連情報が格納登録されている。
【００６３】
利用者は、リーダ２１０の電源を入れ、リーダ２１０の読取部２１０ａをパチンコ遊技機１００にかざす。これにより、リーダ２１０の本体２１０ｂは、パチンコ遊技機１００のＲＦタグ１１２からの応答として読取部２１０ａが電波を受信した場合に、その電波に含まれる識別情報と関連情報とを照合することにより、不正行為を検知する。具体的には、応答としての電波を受信しない場合、および応答として受信した電波に含まれる識別情報が記憶媒体に登録されていない場合に、ＲＦタグ１１２に異常があると判定して、不正行為を検知する。
【００６４】
また、本体２１０ｂは、応答として受信した電波に含まれる識別情報が記憶媒体に登録されている場合に、ＲＦタグ１１２に異常がないと判定され、不正行為はないと判断される。図６の本体２１０ｂに示す「ＯＫ」は、ディスプレイに不正がないことを示す表示の一例である。
【００６５】
このような表示により、利用者は検知された不正行為を知ることが可能になる。
【００６６】
なお、第１規制手段と第２規制手段とは、図５に示すハーネス１２０とコネクタ１１８とがそれぞれ電極１２１および１４３を有さないものであってもよい。これにより、第１規制手段と第２規制手段との嵌合が外される際に、ＲＦタグの一部である第１体のみが破壊される。そのため、第１体のみを取り替えることによって、ＲＦタグの機能を復元させることが可能になるとともに、第２体および第２体１４７のＩＣチップ１６３に保持されている固有情報は再利用可能であり、ＲＦタグに備わる資産の再利用が容易になる。
【００６７】
図１０は、カバー体が開放される際に、弾性体を使用せずにＲＦタグの一部のみを破壊する例を示す図である。本図に示す第１規制手段１５９は、支持部１７０と、梁部１７１の先端の突起１７２とを備える。また、本図に示す第２規制手段１７０は、主基板１０７に備えられており、凹部１６５を備える。突起１７２と凹部１６５とは互いに嵌合する。
【００６８】
また、第１規制手段１５９には、第２規制手段１７０と接する面の一部に接着剤１７３により第１体１３１ｃが取り付けられている。第１体１３１ｃは、第２規制手段１７０と対向する面にも接着剤１６４を有する。
【００６９】
第２規制手段１７０には第２体１４７が取り付けられている。第１規制手段１５９の突起１７２と第２規制手段の凹部１６５とが嵌めあわされると、第２体１４７と第１体１３１ｃとは電気的に接触しＲＦタグとしての機能を発揮する。また、第１体１３１ｃの一面は、接着剤１６４により第２規制手段１７０に接着される。
【００７０】
このように、第１規制手段１５９が第２規制手段１７０に取り付けられると、第１体１３１ｃの一端が第１規制手段１５９に固着し、他端が第２規制手段１７０に固着される。そのため、主基板ケース１１０を開けるために、第２規制手段１７０から第１規制手段１５９が取り外されると、アンテナが切り離されたり、アンテナの形状が歪められたりする。そのため、第１体１３１ｃは機械的に破壊され、ＲＦタグとリーダとしての機能を復元することが不可能になる。
【００７１】
なお、ＲＦタグを構成するＩＣチップが主基板１０７に取り付けられ、第２規制手段としてのコネクタ１１８には第２端子のみが備えられてもよい。この場合、ＩＣチップと第２端子とは電気的に接続され、ＲＦタグを構成する第２体となる。
【００７２】
図１１は、第２体が基板１０７とコネクタ１１８とに取り付けられる場合の第１体と第２体それぞれの構成例を示す図である。本図では、図５と同じ部位には同一の参照符号を付しており、それらに関するここでの説明は省略する。
【００７３】
図１１に示すコネクタ１１８は第２端子３４３を備える。ＩＣチップ３４７は主基板１０７に備えられる。第２端子３４３は、主基板１０７に備えられるＩＣチップ３４７と電気的に接続される。
【００７４】
また、図１１に示す第１規制手段としてのハーネス１２０は、第１体１３１ａと、接続線３２２と、第３端子３２１とを備える。
【００７５】
第１体１３１ａは、図６に示すものと同様であり、第１端子１６０とアンテナ１６１とを備える。第１体１３１ａは、凹部１２９を覆うように取り付けられる。これにより、第１体１３１ａの第１端子１６０と接続線３２２とは、電気的に接続される。
【００７６】
このように、第１体１３１ａが取り付けられたハーネス１２０を、コネクタ１１８に取り付けることにより、ＩＣチップ３４７および第２端子３４３とを含む第２体と、第１体１３１ａとは、接続線３２２および第３端子３２１を介して電気的に接続される。そのため、このような構成によっても、第２体と第１体１３１ａとは、ＲＦタグとしての機能を発揮することができ、カバー体を開放する際にＲＦタグの一部のみが破壊される。
【００７７】
そのため、カバー体の開放により第１体１３１ａが破壊された場合には、その第１体１３１ａのみを新たな第１体に取り替えることにより、ＲＦタグとしての機能を復元することが可能になる。また、主基板１０７に備えられるＩＣチップ３４７およびＩＣチップ３４７に記憶されている情報などの資産の再利用が可能であり、ＲＦタグに備わる資産の再利用が容易になる。
【００７８】
なお、本発明に係る基板ケースは、図１２に示すような開き戸のように開閉する形状でもよい。図１２に示すように、開き戸式の基板ケース３１０は、軸３１０ｃを中心に、カバー体３１０ａが回動することにより、ベース体３１０ｂの収容空間が開放される。カバー体３１０ａは、ハーネス取付口３１７を備える。
【００７９】
ハーネス取付口３１７は、実施の形態のハーネス取付口１１７と同様に、本体３１０ｂに収納される主基板（図示しない）が有するコネクタにハーネスを取り付けるための開口である。
【００８０】
図１３は、主基板１０７が収納された開き戸式の基板ケース３１０を示す図である。本図に示すように、主基板１０７のコネクタ３１８は、ハーネス取付口３１７と対応する位置にある。
【００８１】
図１４は、図１３に示すコネクタ３１８のＣＤ断面とハーネスとを示す図である。本図では、図５と同じ部位には同一の参照符号を付しており、それらに関するここでの説明は省略する。
【００８２】
第２規制手段としてのコネクタ１１８は、基板ケース３１０のハーネス取付口３１７に嵌り合っている。規制手段としてのハーネス３１９は、ハーネス取付口３１７より幅が長い支持部１１９を備える。
【００８３】
このようなハーネス３１９をコネクタ１１８に取り付ける。コネクタ１１８に取り付けられたハーネス３１９の支持部１１９は、基板ケース３１０のカバー体３１０ａを開放させる回動を規制する。そのため、カバー体３１０ａを開放する際に、ハーネス３１９をコネクタ１１８から取り外す必要がある。ハーネス３１９をコネクタ１１８から取り外す際に、ハーネス３１９に取り付けられた第１体１３１ａは、図８を参照して説明した実施の形態の場合と同様の動作によって破壊される。したがって、カバー体３１０ａを開放する際に第１体１３１ａが破壊され、実施の形態と同様に、カバー体を開放する際にＲＦタグの一部のみが破壊されるという効果を奏する。
【００８４】
なお、図８を参照して説明したように、ＲＦタグの第１体１３１ａは、回転体１５３ａによる保持が開放されたピン１５１ｂが突き出すことによって、機械的に破壊される。この原理は、衝撃検知装置として利用できる。すなわち、衝撃によりピン１５１ｂは沈み込む。そのため、ピン１５１ｂによる回転体１５３ａの係止は解かれ、回転体１５３ａは自身の重みにより右側が左に左側が右に回転する。このように回転した後の回転体１５３ａは、その下端の位置が移動している。回転体１５３ａは、沈み込みから復元したピン１５１ｂによっても係止されなくなる。そのため、ピン１５１ｂは弾性体の力により突き出す。
【００８５】
すなわち、実施の形態から把握できる技術思想は、（１）ＲＦタグと、弾性体と、前記弾性体の力により前記ＲＦタグを破壊するピンと、前記弾性体が力を蓄えた状態に保つ保持手段とを備え、前記保持手段は、衝撃を受けた時に前記力を蓄えた状態から前記弾性体を開放することを特徴とする衝撃検知装置として把握できる。
【００８６】
これにより、例えば、パチンコ遊技機やその他の荷物の運搬中に落下などの衝撃を受けたか否かが、ＲＦタグが破壊されたか否かに残る。すなわち、衝撃を受けた場合には、ＲＦタグが破壊される。利用者は、リーダの読取部をかざすことによってＲＦタグの破壊を容易に知ることができるため、荷物に衝撃が与えられたか否かを容易に知ることが可能になる。
【００８７】
また、（２）前記ＲＦタグは、別体である第１体と第２体とが電気的に接続されることにより機能を発揮し、前記ピンは、前記弾性体の力により前記第１体を破壊する。これにより、衝撃を受けた場合に、ＲＦタグの一部のみを破壊することができる。このような衝撃検知装置は、破壊された一部のみを取り替えることによって再利用することが可能になる。
【図面の簡単な説明】
【００８８】
【図１】本実施形態のパチンコ遊技機を正面方向から示す斜視図。
【図２】パチンコ遊技機を背面方向から示す斜視図。
【図３】主基板を収納する基板ケースとそのメインセットへの取り付け態様とを示す図。
【図４】主基板が収納された透明な主基板ケースを示す図。
【図５】図４に示すコネクタのＡＢ断面とハーネスとを示す図。
【図６】（ａ）本実施の形態の第１体１３１ａの詳細な構成を示す図。（ｂ）本実施の形態の第２体１４７の詳細な構成を示す図。
【図７】（ａ）図５に示すハーネスをコネクタに挿し込む際の状態を示す図。（ｂ）図５に示すハーネスがコネクタに挿し込まれた状態を示す図。
【図８】（ａ）ハーネスがコネクタから取り外される際に、回転体が回転を始めた状態を示す図。（ｂ）ハーネスがコネクタから取り外される際に、ピンの保持が解かれた状態を示す図。（ｃ）ピンの突き出しによりアンテナが破壊される状態を示す図。
【図９】不正行為を検知するためのリーダを示す図。
【図１０】カバー体が開放される際に、弾性体を使用せずにＲＦタグの一部のみを破壊する例を示す図。
【図１１】ＲＦタグの一部である第２体をコネクタと基板とに備える例を示す図。
【図１２】開き戸式の基板ケースの外観を示す図。
【図１３】主基板が収納された開き戸式の基板ケースを示す図。
【図１４】図１３に示すコネクタのＣＤ断面とハーネスとを示す図。
【符号の説明】
【００８９】
１００…パチンコ遊技機、１０７…主基板、１１０…主基板ケース、１１０ａ…カバー体、１１０ｂ…ベース体、１１８…コネクタ、１２０…ハーネス、１２５…脚部、１３１…第１体、１３２…梁部、１３３…爪、１４７…第２体、１４９…バネ、１５１…ピン、１５３…回転体、１６０…第１端子、１６１…アンテナ、１６２…第２端子、１６３…ＩＣチップ
【図１】
2008279183.tif 000003
【図２】
2008279183.tif 000004
【図３】
2008279183.tif 000005
【図４】
2008279183.tif 000006
【図５】
2008279183.tif 000007
【図６】
2008279183.tif 000008
【図７】
2008279183.tif 000009
【図８】
2008279183.tif 000010
【図９】
2008279183.tif 000011
【図１０】
2008279183.tif 000012
【図１１】
2008279183.tif 000013
【図１２】
2008279183.tif 000014
【図１３】
2008279183.tif 000015
【図１４】
2008279183.tif 000016